(57)【要約】【課題】  ダイナミック点灯方式にあっては、高速で表示データを切り換える必要があることから、前記した発明のように表示データの照合一致を確認してから点灯した場合には、人間の目の残像効果を利用しても表示される情報が点滅して見えることなり、情報表示装置として故障したユニットを監視しながら情報を表示するには適さないといった問題があった。【解決手段】  双方向にシフト可能なシフトレジスタ１２ａを搭載した表示ユニット１に対してダイナミック点灯周期毎に転送方向を切り換え、切り換える毎に前の周期によって記憶されたシフトレジスタからの表示データと表示メモリ２１の表示データとの照合を表示素子を点灯させながら行うようにした情報表示装置である。【選択図】        図２
2008116579.tif 000002
【特許請求の範囲】
【請求項１】
表示素子をマトリックス状に多数配置した表示素子アレイと、該表示素子アレイの各表示素子を点灯制御するための表示データを取り込む双方向にシフト可能なシフトレジスタと表示データを記憶するラッチとからなる表示素子駆動回路とから構成される表示ユニットを複数個直列接続した表示部と、
前記表示ユニットの表示素子アレイで表示する表示データを記憶している表示メモリと、前記表示部におけるｎ分の１エリア（ｎ＝２，４，６，８・・・）に相当する前記表示メモリよりの表示データをダイナミック点灯周期毎に転送方向を切り換えて前記シフトレジスタに入力すると共に、切り換える毎に前の周期によって記憶されたｎ分の１エリアに相当するシフトレジスタからの表示データを監視回路で照合しながら前記ラッチで記憶した前の周期の表示データの点灯を行う制御回路とからなる制御部と、
から構成したことを特徴とする情報表示装置。
【請求項２】
前記監視回路の照合の結果が不一致であると判断した場合には故障した表示ユニットを切り離して表示データを表示するようにしたことを特徴とする請求項１記載の情報表示装置。
【発明の詳細な説明】
【技術分野】
【０００１】
本発明は、発光ダイオード等の表示素子をマトリックス状に多数配列した表示ユニットを用い、所望の表示素子を点灯することにより任意の文字や図形等を表示するための情報表示装置に関する。
【背景技術】
【０００２】
従来における情報表示装置として、例えば、特開平６−３０８９０６号公報に開示されている発明がある。この発明は、制御回路から送られる各シフトレジスタに取り込まれた表示データを逆方向から監視回路に返送し、ＣＰＵで故障したシフトレジスタを含む表示ユニットの検出を行い、さらに、故障した表示ユニットに個別信号を送り、故障した表示ユニットを切り離し、該故障した表示ユニット分の表示データを除く表示データを転送することにより表示を行うようにしたものである。
【特許文献１】特開平６−３０８９０６号公報
【発明の開示】
【発明が解決しようとする課題】
【０００３】
ところで、近年の発光ダイオード（以下、単にＬＥＤという）の性能アップとコストダウンの要請から表示ユニットの点灯方式としてはダイナミック点灯方式が主流になりつつある。ここで、ダイナミック点灯方式とは、表示ユニットに配列されているＬＥＤをｎのエリアに分割し、分割したエリアを順次、一定周期で点灯させることを言う。従って、表示素子駆動回路が１／ｎでよいことからコストダウンを図ることが可能である。
【０００４】
しかし、前記したダイナミック点灯方式にあっては、高速で表示データを切り換える必要があることから、前記した発明のように表示データの照合一致を確認してから点灯した場合には、人間の目の残像効果を利用しても表示される情報が点滅して見えることなり、情報表示装置として故障した表示ユニットを監視しながら情報を表示するには適さないといった問題があった。
【０００５】
本発明は前記した問題点を解決せんとするもので、その目的とするところは、表示ユニットの表示素子をダイナミック点灯方式で制御することでコストの低減を図ることができると共に、データ照合による故障ユニットの特定を表示ユニットで表示データを点灯しながら同時に行うことができる情報表示装置を提供せんとするにある。
【課題を解決するための手段】
【０００６】
本発明の情報表示装置は前記した目的を達成せんとするもので、請求項１の手段は、表示素子をマトリックス状に多数配置した表示素子アレイと、該表示素子アレイの各表示素子を点灯制御するための表示データを取り込む双方向にシフト可能なシフトレジスタと表示データを記憶するラッチとからなる表示素子駆動回路とから構成される表示ユニットを複数個直列接続した表示部と、前記表示ユニットの表示素子アレイで表示する表示データを記憶している表示メモリと、前記表示部におけるｎ分の１エリア（ｎ＝２，４，６，８・・・）に相当する前記表示メモリよりの表示データをダイナミック点灯周期毎に転送方向を切り換えて前記シフトレジスタに入力すると共に、切り換える毎に前の周期によって記憶されたｎ分の１エリアに相当するシフトレジスタからの表示データを監視回路で照合しながら前記ラッチで記憶した前の周期の表示データの点灯を行う制御回路とからなる制御部とから構成したものである。
【０００７】
請求項２の手段は、前記した請求項１において、前記監視回路の照合の結果が不一致であると判断した場合には故障した表示ユニットを切り離して表示データを表示するようにしたことを特徴とする。
【０００８】
本発明は前記したように、表示メモリよりの表示データをダイナミック点灯周期毎に転送方向を切り換え、切り換える毎に前の周期によって記憶されたシフトレジスタからの表示データと前記表示メモリの表示データとをそれぞれ監視データとして監視回路で照合しながら表示素子アレイの点灯を行うことにより、ダイナミック点灯を行いながら故障ユニットの監視が図れるものである。
【０００９】
また、監視回路による照合の結果が不一致であると判断した場合には故障した表示ユニットを切り離して表示データを表示するようにしたので、表示データを圧縮し、あるいは、変更することにより表示部において表示を連続して行うことができる等の効果を有するものである。
【発明を実施するための最良の形態】
【００１０】
本発明は、双方向にシフト可能なシフトレジスタを搭載した表示ユニットに対してダイナミック点灯周期毎に表示データの転送方向を切り換え、切り換える毎に前の周期によって記憶されたシフトレジスタからの表示データと表示メモリの表示データとの照合を表示素子を点灯させながら行うようにした情報表示装置である。
【実施例１】
【００１１】
以下、本発明の情報表示装置の一実施例を図面と共に説明する。
図１は表示部１の回路ブロック、図２は制御部２の回路ブロック、図３は動作状態を説明するための説明図である。
【００１２】
先ず、表示ユニット１の構成について説明するに、表示ユニット１は表示素子をマトリックス状に多数配置した表示素子アレイ１１と、該表示素子アレイ１１の点滅を制御する表示素子駆動回路１２とから構成されている。この表示素子駆動回路１２は、図２に示す制御部２の表示メモリ２１よりの表示データが制御回路２２を介して信号線Ｓ−ＩＮから送られる表示データを信号線ＣＬＫからのクロック信号に同期して取り込むための双方向のシフト機能を有するシフトレジスタ１２ａと、該シフトレジスタ１２ａに取り込まれた表示データを信号線ＬＡＴＣＨからの信号により記憶するラッチ回路１２ｂと、ラッチされた表示データに従い前記表示素子アレイ１１の中の対応する表示素子を点灯制御するドライバ回路１２ｃと、前記シフトレジスタ１２ａの切り離しを行うアナログスイッチ１２ｄ，１２ｄ′と、アンド回路１２ｅおよび信号線ＳＨＩＦＴからの信号によりシフトレジスタ１２ａの入力方向を切り換えるインバータ１２ｆとから構成されている。そして、表示素子アレイ１１と表示素子駆動回路１２とから構成した表示ユニット１はマトリックス状に表示板枠に取付けられて情報表示装置となる。
【００１３】
次に、前記した表示ユニット１における表示素子アレイ１１の点灯制御を行い文字や図柄を表示させるための制御部２について図２と共に説明する。
制御部２は表示ユニット１に表示するデータを記憶する表示メモリ２１と、該表示メモリ２１よりの表示データ、イネーブル（ＥＮＡＢＬＥ）信号、ラッチ（ＬＡＴＣＨ）信号、クロック（ＣＬＫ）信号、シフト（ＳＨＩＦＴ）信号、個別信号（ＤＥＴＯＵＲ：切り離しを行う迂回信号）を送出する制御回路２２と、該制御回路２２から各表示ユニット１１  ，１２  ・・・１ｎを経由して返送される表示データと前記表示メモリ２１からの表示データとをそれぞれ監視データとして照合する監視回路２３と、前記表示データＤ１，Ｄ４と監視データＤ２，Ｄ３との切り換えをＳＨＩＦＴ信号により行うシフトスイッチＳＷおよび表示メモリ２１よりの表示データを１／２ダイナミック点灯させるための制御を行うＣＰＵ２４とから構成されている。
なお、図２においては、図１のイネーブル信号、クロック信号、個別信号の信号線の図示を省略してある。
【００１４】
次に、前記した回路構成の動作を図３のフローチャートおよび図４のタイミングチャート図と共に説明する。なお、本実施例においては、ダイナミック点灯を表示部の１／２エリア毎（奇数列と偶数列とで交互に制御）に行う場合について説明するが、１／４，１／８などのエリア毎に行ってもよい。
先ず、ＣＰＵ２４からの指令により表示メモリ２１から表示データが制御回路２２に転送されると、該制御回路２２は図２に示すシフトスイッチＳＷをＤ１  ，Ｄ２  としてＤ１  から１／２エリアの表示データが表示ユニット１１  に対して転送されラッチ回路１２ｂにラッチされる（ステップＳ１）。
【００１５】
次に、シフトスイッチＳＷを切り換えてＤ３  ，Ｄ４  としてＤ４  から２／２エリアの表示データが表示ユニット１ｎに転送されシフトレジスタ１２ａに入力されると共に、前記１／２エリアの表示データがＤ３  を介して監視回路２３に出力され、同時に監視回路２３において表示メモリ２１の表示データとの照合が行われる。また、この時、前記１／２エリアを点灯すると共に、消灯後にシフトレジスタ１２ａに記憶された前記２／２エリアの表示データをラッチ回路１２ｂにラッチする（ステップＳ２）。
【００１６】
次いで、シフトスイッチＳＷを元の位置に戻しＤ１  ，Ｄ２  としてＤ１  から１／２エリアの表示データが表示ユニット１１  に対して転送されシフトレジスタ１２ａに入力すると共に、前記２／２エリアの表示データがＤ２  を介して監視回路２３に出力され、同時に監視回路２３において表示メモリ２１の表示データとの照合が行われる。また、この時、前記２／２エリアを点灯すると共に、消灯後にシフトレジスタ１２ａに記憶された前記１／２エリアの表示データをラッチ回路１２ｂにラッチする（ステップＳ３）。
【００１７】
そして、ステップＳ３の動作が終了するとＣＰＵ２３は表示データの表示を終了するか否かの判断を行い、終了でないと判断するとステップＳ２に戻って表示の終了と判断するまで繰り返し行われる（ステップＳ４）。
【００１８】
前記した動作説明において、ステップＳ２，３における監視回路２３の照合結果が不一致であると監視回路２３が判断すると、故障した表示ユニットを検出し、その後、故障した表示ユニットに個別信号を送ってアナログスイッチＳＷ１２ｄ，１２ｄ′で故障した表示ユニットの切り離しを行うと共に、故障した表示ユニット分のデータを除いた表示データを転送して表示を行う等の処理をＣＰＵ２４が行う。
【００１９】
なお、前記した動作説明において、ダイナミック点灯周期毎にメモリアドレスをカウントアップさせるかカウントダウンさせるかを図５のように切り換えることで、表示データと監視データとを同時に読み出すことができ、制御回路２２と監視回路２３に供給することが可能である。すなわち、２／２エリアの表示データを転送しながら１／２エリアの表示データを照合する前記ステップＳ２の状態がカウントアップに相当し、１／２エリアの表示データを転送しながら２／２エリアの表示データを照合する前記ステップＳ３の状態がカウントダウンに相当するので、制御データおよび照合データの扱いが簡単に行えることになる。
【図面の簡単な説明】
【００２０】
【図１】本発明の情報表示装置における１つの表示ユニットの回路ブロックである。
【図２】情報表示装置の回路ブロック図である。
【図３】図２の回路ブロックの動作説明のためのフローチャートである。
【図４】動作説明のためのタイミングチャート図である。
【図５】表示メモリにおけるデータ配列を示す説明図である。
【符号の説明】
【００２１】
１          表示ユニット
１１        表示素子アレイ
１２        表示素子駆動回路
１２ａ      シフトレジスタ
１２ｂ      ラッチ回路
１２ｃ      ドライバ回路
２１        表示メモリ
２２        制御回路
２３        監視回路
２４        ＣＰＵ
【図１】
2008116579.tif 000003
【図２】
2008116579.tif 000004
【図３】
2008116579.tif 000005
【図４】
2008116579.tif 000006
【図５】
2008116579.tif 000007